(57)【要約】      （修正有）【課題】一方の木材の他の一方の木材方向への引き寄せ操作を確実に行え、凹入切欠内に係合する押圧片の枢着位置を変えることにより、引寄せ量を変えることができる木造建築物の木材接合装置を提供する。【解決手段】互いに接合する一方の木材２０の端面２０′に縦設した切込溝２１に、他の一方の木材２４の側面２４′に突設した平板状の接合基板３の自由端側を係合し、接合基板３の上端に凹入切欠７を形成し、この凹入切欠７の、自由端側の側縁７′に圧接する押圧片２を、切込溝２１に係合して一方の木材２０に外部から回動操作可能に枢着すると共に、押圧片２に連設した操作部片１４を切込溝２１を通じて一方の木材２０の上方に没入可能に突出させ、操作部片１４には、切込溝２１の第一の内面２１ａに、その先端２９ａが係止されるように突出する円柱形状の突出部２９が設けられる。【選択図】図４
0003207375.tif 000002
【実用新案登録請求の範囲】
【請求項１】
互いに接合する一方の木材の端面に縦設した切込溝に、他の一方の木材の側面に突設した平板状の接合基板の自由端側を係合し、該接合基板の上端に凹入切欠を形成し、この凹入切欠の、前記自由端側の側縁に圧接する押圧片を、前記切込溝に係合して前記一方の木材に外部から回動操作可能に枢着すると共に、前記押圧片に連設した操作部片を前記切込溝を通じて前記一方の木材の上方に没入可能に突出させた、木造建築物の木材接合装置。
【請求項２】
前記切込溝は、前記接合基板の両平面がそれぞれ近接する第一及び第二の内面が形成されており、
前記操作部片は、前記切込溝を通じて前記一方の木材の上方に対する没入が開始される場合に、前記第一及び第二の内面の上端部の少なくともいずれかにその先端が係止されるように、突出する突出部が設けられることを特徴とする請求項１記載の木造建築物の木材接合装置。
【請求項３】
互いに接合する一方の木材の端面に縦設した切込溝に係合する平板状の接合基板と、この接合基板に係合して前記接合基板の自由端側の側縁を押圧する押圧片とを有する木造建築物の木材接合金具であって、
前記接合基板は、その基端側に、他の一方の木材の側面に固着する取付部片を、また、自由端側の下端部に、頭部を前記一方の木材の下端に係止する固定ボルトを螺合する螺子筒をそれぞれ連設すると共に、前記接合基板の適所に前記他の一方の木材を通じて支持杆を貫通させる透孔を備え、また、その上端に凹入切欠を形成し、
前記押圧片は、前記切込溝に係合して前記一方の木材外部から回動操作可能に枢着され、前記接合基板の上端に形成された前記凹入切欠に係合しつつ回動によって前記接合基板の自由端側の側縁を押圧することを特徴とする木造建築物の木材接合金具。
【請求項４】
前記切込溝は、前記接合基板の両平面がそれぞれ近接する第一及び第二の内面が形成されており、
前記押圧片は、操作部片を連設し、この操作部片を前記切込溝を通じて前記一方の木材の上方に没入可能に突出させ、
前記操作部片は、前記切込溝を通じて前記一方の木材の上方に対する没入が開始される場合に、前記第一及び第二の内面の上端部の少なくともいずれかにその先端が係止されるように、突出する突出部が設けられることを特徴とする請求項３記載の木造建築物の木材接合金具。
【考案の詳細な説明】
【技術分野】
【０００１】  本考案は、柱と梁などの横架材或いは梁と梁などの横架材同士を互いに接合するために用いる、木造建築物の木材接合装置および木材接合金具に関するものである。
【背景技術】
【０００２】  例えば、実開平７−１９４０９号公報に所載のように、支持杆貫通用の透孔を設けた平板状の接合基板の一端に取付部片を、他の一端に接合基板の板厚より外径の大きい円筒状の係止部片をそれぞれ連設し、取付部片に連続する支持部片を接合基板の下端に設けて構成した接合金具を用いた構造のものがある。【０００３】  この従来例は、取付部片を柱や梁に取付け、該柱又は梁に接合する梁などの横架材に設けた切込溝に接合基板および係止部片を嵌挿させ、傾斜状にした係止部片を横架材に圧接させるようにして該横架材を柱や梁などに引寄せ、支持部片によって横架材を支持させる、すなわち、横架材の下面に支持部片を当てるようにして柱又は梁と横架材を接合するようにしたものである。
【先行技術文献】
【特許文献】
【０００４】
【特許文献１】実開平７−１９４０９号公報
【考案の概要】
【考案が解決しようとする課題】
【０００５】  前記従来例は、横架材に設けたいわば垂直な孔（切込溝の奥端部）において傾斜状にした係止部片を嵌合させ、係止部片の傾斜縁の前記孔に沿う移動によって横架材が柱方向に引寄せられるようにしたものであるが、係止部片の傾斜角度によって引寄せ量が決まり、従って、引寄せ量を異にするものを必要とする際は、別種の金具を準備しなければならず、また、傾斜角度に対応させて横架材側に形成する前記の孔を断面形において長いもの（長孔）にしなければならず、これは横架材の強度を弱くすることになる。【０００６】  また、前記従来例は、構造上、支持部片を横架材の下面に当てるようにするものであるため、横架材の高さ幅方向の適所に接合基板を配するには高さ幅の異なる横架材のそれぞれに対応した接合金具を準備しなければならない。すなわち、支持部片の存在によって横架材の位置関係が決まるため、横架材の高さ幅が広くなればなる程、高さ幅の有る接合基板を備えた接合金具を用いなければならず、従って、高さ幅の異なる横架材に対応して接合金具を準備しなければならない。
【課題を解決するための手段】
【０００７】  引寄せ量を異にしなければならないときに生じる従来例の前記欠点に対応する手段として、互いに接合する一方の木材の端面に縦設した切込溝に、他の一方の木材の側面に突設した平板状の接合基板の自由端側を係合し、該接合基板の上端に凹入切欠を形成し、この凹入切欠の、前記自由端側の側縁に圧接する押圧片を、前記切込溝に係合して前記一方の木材に外部から回動操作可能に枢着すると共に、押圧片に連設した操作部片を前記切込溝を通じて前記一方の木材の上方に没入可能に突出させた構成とし、また、引寄せ量を自在に設定でき、しかも、高さ幅の異なる横架材に対応する手段として、互いに接合する一方の木材の端面に縦設した切込溝に係合する平板状の接合基板と、この接合基板に係合して前記接合基板の自由端側の側縁を押圧する押圧片とを有する木造建築物の木材接合金具であって、前記接合基板は、その基端側に、他の一方の木材の側面に固着する取付部片を、また、自由端側の下端部に、頭部を前記一方の木材の下端に係止する固定ボルトを螺合する螺子筒をそれぞれ連設すると共に、前記接合基板の適所に前記他の一方の木材を通じて支持杆を貫通させる透孔を備え、また、その上端に凹入切欠を形成し、前記押圧片は、前記切込溝に係合して前記一方の木材外部から回動操作可能に枢着され、前記接合基板の上端に形成された前記凹入切欠に係合しつつ回動によって前記接合基板の自由端側の側縁を押圧する構成の木材接合金具を用いるようにするのである。【０００８】  また、切込溝は、接合基板の両平面がそれぞれ近接する第一及び第二の内面が形成されており、操作部片は、切込溝を通じて一方の木材の上方に対する没入が開始される場合に、第一及び第二の内面の少なくともいずれかにその先端が係止されるように、突出する突出部が設けられる。
そして、押圧片は、操作部片を連設し、この操作部片を切込溝を通じて一方の木材の上方に没入可能に突出させる。
【図面の簡単な説明】
【０００９】
【図１】本発明に係る木造建築物の木材接合装置および木材接合金具の一部欠截正面図である。
【図２】図１の１Ａ−１Ａ線断面図である。
【図３】本発明に係る木造建築物の木材接合装置および木材接合金具の接合作業完了時の状態を示す一部欠截正面図である。
【図４】（ａ）は本発明の変形例に係る木造建築物の木材接合装置の一部欠截正面図であり、（ｂ）は（ａ）の１Ｂ−１Ｂ線断面図である。
【考案を実施するための形態】
【実施例】
【００１０】  実施例の木造建築物の木材接合装置は、一方の木材２０を他の一方の木材２４に引き寄せるための木材接合金具１を備えるものであって、木材接合金具１は、平板状の接合基板３の基端側にやや上方側にして取付部片４を、下側にして係合部片５をそれぞれ連設し、自由端側の下部に螺子筒６を設けてこれに下面開口の螺子穴６ａを設けて構成したものである。さらに、木材接合金具１は、接合基板３に係合して接合基板３の自由端側の側縁を押圧する押圧片２を有する。【００１１】  なお、螺子筒６を他の一方の木材２４に対して上方向に漸次離開するように傾斜させてあるのは、接合基板１に沿わせて切込溝２１において一方の木材２０を降下させたとき、切込溝２１が螺子筒６の傾斜縁に接して他の一方の木材２４方向に自動的に近接させるため、すなわち、引き寄せ動作を行わせるためである。【００１２】  前記接合基板３は、その上端に円弧状の凹入切欠７を、この凹入切欠７の直下に位置するようにして支持杆８の挿通用の透孔９，９，９をそれぞれ備え、また、前記取付部片４は、接合基板３より部分的に延長した部片４ａの自由端側から下端側にかけてＬ字形部片４ｂを設けて構成し、Ｌ字形部片４ｂに締付けボルト１０挿通用の透孔１１を設けたものである。【００１３】  前記係合部片５は、取付部片４の部片４ａの直下に位置させて前記Ｌ字形部片４ｂと同様、接合基板４に対して交差方向に配するようにして、接合基板３に連設したものである。【００１４】  なお、係合部片５は、取付部片４において接合金具１を他の一方の木材２４に締付けボルト１０で締付ける際、第二係合凹部２６に係合して木材２４よりの金具１の落下を防ぎ、また、接合基板３側の締付け操作に伴う回動を防ぐものである。【００１５】  押圧片２は、切込溝２１に係合して一方の木材２０外部から回動操作可能に枢着され、接合基板３の上端に形成された凹入切欠７に係合しつつ回動によって接合基板３の自由端側の側縁を押圧する。具体的には、押圧片２は、支軸１２の貫通用の透孔１３を備えた変形円形状のリング体で成り、その一端に、垂直方向に突出する第一叩打部１４ａと水平方向に突出する第二叩打部１４ｂを備えた操作部片１４を突出して構成したものである。【００１６】  図中、２０は互いに接合する一方の木材（実施例では桁、梁などの横架材）で、該木材２０の端面２０′の中央部に切込溝２１を縦設する一方、この切込溝２１と交差方向にして前記透孔１３と一致する第一貫通孔２２と、該第一貫通孔２２の直下にして前記透孔９，９，９に対応するようにして第二貫通孔２３，２３，２３を形成し、切込溝２１および第一、第二の貫通孔２２，２３を備えたこの一方の木材２０の切込溝２１中に、押圧片２を挿入し、該押圧片２の透孔１３と第一貫通孔２２を互いに一致させてこれらに支軸１２を挿通させて一方の木材２０に前記押圧片２を組付けるのである。【００１７】  一方の木材２０と接合する他の一方の木材２４（実施例では柱としてあるが、梁などの横架材でも良い）の前記端面２０′に相対する側面２４′には、第一係合凹部２５と第二係合凹部２６を設け、第一係合凹部２５には前記他の一方の木材２４を貫く貫通孔１５を形成しておき、第一係合凹部２５に取付��片４を、また、第二係合凹部２６に係合部片５をそれぞれ係合させ、取付部片４のＬ字形部片４ｂに設けて前記貫通孔１５と一致する透孔１１側よりこれらに前記締付けボルト１０を貫通させ、他の一方の木材２４の前記側面２４′に相対する側面（図示省略）より突出する締付けボルト１０の先端に締付けナットを螺合して締付けることにより、木材接合金具１は他の一方の木材２４の側面２４′に突設される。【００１８】  そして、前記一方の木材２０を他の一方の木材２４と、他の一方の木材２４に突設した接合基板３の自由端側を切込溝２１に係合するようにして組み合わせると、予め設定した通り、押圧片２が接合基板３に設けた凹入切欠７に係合し、押圧片２の凹入切欠７に対する接触により支軸１２、木材接合金具１を介して一方の木材２０は他の一方の木材２４に支持され、該支持された状態で、切込溝２１より突出する操作部片１４を、第一叩打部１４ａおよび第二叩打部１４ｂを工具で叩打して図１において反時計方向すなわち操作部片１４を他の一方の木材２４に近接する方向に支軸１２を中心に回動させると、該操作部片１４を連設した押圧片２は支軸１２を中心にして回動してその周縁部が、前記接合基板３に形成した、凹入切欠７の接合基板３の自由端側の側縁７′を押圧し、この結果、一方の木材２０は他の一方の木材２４方向に漸次引寄せられ、操作部片１４の切込溝２１内への没入完了時に一方の木材２０の引寄せ操作は完了し、この時点で、接合基板３に形成した透孔９，９，９位置に、一方の木材２０側に形成した第二貫通孔２３，２３，２３が移動してき、これらに支持杆８を貫通させ、また、一方の木材２０の下面側から座金２７を介して固定ボルト２８を螺子筒６の螺子穴６ａに螺合して締付けると、前記支持杆８と同様、固定ボルト２８の頭部２８′は座金２７を介して一方の木材２０の重量を部分的に受けることになり、両木材２０，２４の木材接合金具１を介する接合作業を終える。【００１９】  図中、１８は一方の木材２０に切込溝２１に連通させて形成した螺子筒６の係合部で、この係合部１８の内縁に螺子筒６が圧接して前記の通り一方の木材２０は他の一方の木材２４側に引き寄せられる。【００２０】  なお、凹入切欠７の開口上端側の上縁７″，７″を傾斜状としたのは、押圧片２が係合切欠７に（案内縁となって）係合し易くするためである。【００２１】  また、一方の木材２０に対する切込溝２１等或いは他の一方の木材２４に対する第一係合凹部等の加工形成は、木材接合金具１ないし両木材２０，２４との相対的な関係で行われる。【００２２】  図１、図２において、一方の木材２０と他の一方の木材２４との間に隙間があるが、これは、本発明の説明上解かり易くするためで、図１、図２の状態においては実際上は両木材２０，２４が互いに接触しているときもあり、そのときは、一方の木材２０は他の一方の木材２４にいわばめり込むように引き寄せが行われる。両材の前記加工はこの点を踏まえて行われる。【００２３】  本発明は前記の通りの構成であるから、引寄せ操作を確実に行え、従来にない斬新な構造の木材接合装置を提供でき、しかも、凹入切欠内に係合する押圧片の枢着位置を変えることにより、一方の木材の他の一方の木材方��への引寄せ量を変えることができる。【００２４】  また、他の一方の木材２４の側面２４′に取付部片４を固着し、一方の木材２０に設けた切込溝２１に接合基板３の自由端側を係合して、他の一方の木材２４に枢着した押圧片２を回動させると押圧片２は凹入切欠７の接合基板３の自由端側の側縁を押圧し、この結果、一方の木材２０は他の一方の木材２４側に引寄せられ、この引寄せ完了時に、透孔９，９，９に支持杆８，８，８をそれぞれ貫通させ、かつ、固定ボルト２８を螺子筒６に螺合締付けると、一方の木材２０は支持杆８，８，８および固定ボルト２８によって強固に確実に支持され、一対の木材２０を安定した状態で接合することのできる木材接合金具１を提供できる。【００２５】  次に、本実施例の変形例に係る木造建築物の木材接合装置について、図４を参照しながら説明する。図４（ａ）は本発明の変形例に係る木造建築物の木材接合装置の一部欠截正面図であり、図４（ｂ）は図４（ａ）の１Ｂ−１Ｂ線断面図である。なお、図１乃至図３で説明した構成要素と同一の構成要素は、図４においても同一の符号を付してその説明を省略する。
図４（ａ）及び（ｂ）に示すように、本実施例の変形例に係る木造建築物の木材接合装置１ａにおいて、切込溝２１は、接合基板３の両平面がそれぞれ近接する第一の内面２１ａ及び第二の内面２１ｂが形成されている。また、木材接合装置１ａは、木材接合金具１を備える。
そして、操作部片１４は、切込溝２１を通じて一方の木材２０の上方に対する没入が開始される場合に、第一の内面２１ａに、その先端２９ａが係止されるように突出する円柱形状の突出部２９が設けられる。【００２６】  具体的には、図４（ａ）に示されるとおり突出部２９は、第一叩打部１４ａと第二叩打部１４ｂの交点に設けられる。なお、突出部２９は、操作部片４が第一の内面２１ａあるいは第二の内面２１ｂの上端のいずれかに係止されるのであれば、これ以外にも第一叩打部１４ａや第二叩打部１４ｂのいずれの箇所に設けられても良い。また、突出部２９は、その先端２９ａが、第二の内面２１ｂの上端に係止されるよう設けられる他、一対の突出部２９が、第一の内面２１ａ及び第二の内面２１ｂの上端の双方に係止されるよう設けられても良い。さらに、突出部２９は、円柱形状をなす代わりに、円錐形状、円錐台形状、多角錐台形状又は多角柱形状をなしても良い。
ただし、突出部２９は、剛性の高い材料ではなく第一叩打部１４ａや第二叩打部１４ｂを叩打した際に変形して、操作部片１４が切込溝２１内に没入することを妨げない程度の柔軟な材料で構成されるものである。
したがって、このように構成される円柱形状の突出部２９は、木材２０を単独で取り扱っている際に切込溝２１に操作部片１４が没入することを抑制することが可能である。
木材２０のみを操作している場合では、接合基板３がないため木材２０が傾くことで簡単に操作部片１４は切込溝２１内に入り込んでしまい、これを取り出すには、再度木材２０を反対に傾けるなどする必要があった。しかしながら、木材２０の中には長いものも多く簡単に傾けることができず、薄い金属片などを切込溝２１内に挿し込み操作部片１４を押し出すようにしなければならない不都合があった。
そこで、突出部２９を第一叩打部１４ａまたは第二叩打部１４ｂに設けて、操作部片１４が切込溝２１へ没入する直前に先端２９ａが木材２０の上面に係止、すなわち引っかかるように突出部２９を設けて、ストッパーとして機能させたのである。【００２７】  このような構成の木材接合装置１ａにおいて、木材２０と木材２４を接合させる場合には、まず、木材接合金具１を木材２４の側面２４′に突設させた状態で、接合基板３の自由端側を切込溝２１に係合するように組み合わせる。
その後、実施例に係る木材接合金具１と同様に、第二叩打部１４ｂが一方の木材２０に最も接近した状態にある操作部片１４（図中、実線で示したもの）を、支軸１２を中心として反時計方向（ＣＣＷ）に回動させるには、第一叩打部１４ａや第二叩打部１４ｂを工具で叩打する。
その際には、柔軟な材料で構成された突出部２９は容易に変形して切込溝２１内に没入するので、木材２０と木材２４の接合の容易性には影響を及ぼすことはない。
逆に言えば、突出部２９の柔軟性とは、工具で第一叩打部１４ａや第二叩打部１４ｂを叩打した際に、変形して切込溝２１内に操作部片１４が没入する程度の柔軟性である必要がある。【００２８】  このようにして、操作部片１４（第一叩打部１４ａ、第二叩打部１４ｂ）を叩打することにより、端面２０′を側面２４′へ確実に引き寄せることができる。
以上説明したように、木材接合装置１ａによれば、上記のような不都合を解消することができるので、引き寄せの際の作業効率を向上させることが可能である。
【産業上の利用可能性】
【００２９】  本考案は、柱と梁などの横架材或いは梁と梁などの横架材同士を互いに接合するために用いる、木造建築物の木材接合装置および木材接合金具として利用可能である。
【符号の説明】
【００３０】  １…木材接合金具  １ａ…木材接合装置  ２…押圧片  ３…接合基板  ４…取付部片  ４ａ…部片  ４ｂ…Ｌ字形部片  ５…係合部片  ６…螺子筒  ６ａ…螺子穴  ７…凹入切欠  ７′…側縁  ７″…上縁  ８…支持杆  ９…透孔  １０…締付けボルト  １１…透孔  １２…支軸  １３…透孔  １４…操作部片  １４ａ…第一叩打部  １４ｂ…第二叩打部  １５…貫通孔  １８…係合部  ２０…一方の木材  ２０′…端面  ２１…切込溝  ２１ａ…第一の内面  ２１ｂ…第二の内面  ２２…第一貫通孔  ２３…第二貫通孔  ２４…他の一方の木材  ２４′…側面  ２５…第一係合凹部  ２６…第二係合凹部  ２７…座金  ２８…固定ボルト  ２８′…頭部  ２９…突出部  ２９ａ…先端
【図１】
0003207375.tif 000003
【図２】
0003207375.tif 000004
【図３】
0003207375.tif 000005
【図４】
0003207375.tif 000006